(57)【要約】【課題】エレクトロクロミック素子が電荷を捕捉及び放出する量を精度よく制御できるとともに、エレクトロクロミック素子及び装置の劣化を抑制可能な素子制御装置の提供。【解決手段】エレクトロクロミック素子と、前記エレクトロクロミック素子に電気的に接続され、前記エレクトロクロミック素子への電流の供給を調整する電源部と、前記エレクトロクロミック素子に並列に電気的に接続される可変抵抗と、前記エレクトロクロミック素子に電気的に接続され、前記電流の値を測定する電流測定手段と、前記電流測定手段が測定した電流の値に基づき、前記電源部により前記エレクトロクロミック素子への電流の供給を調整させる制御部とを有する素子制御装置である。【選択図】図１
2017211632.tif 000002
【特許請求の範囲】
【請求項１】
エレクトロクロミック素子と、
前記エレクトロクロミック素子に電気的に接続され、前記エレクトロクロミック素子への電流の供給を調整する電源部と、
前記エレクトロクロミック素子に並列に電気的に接続される可変抵抗と、
前記エレクトロクロミック素子に電気的に接続され、前記電流の値を測定する電流測定手段と、
前記電流測定手段が測定した電流の値に基づき、前記電源部により前記エレクトロクロミック素子への電流の供給を調整させる制御部とを有することを特徴とする素子制御装置。
【請求項２】
前記制御部が、
前記電源部により前記エレクトロクロミック素子に電流を供給させ、
前記電流測定手段が測定した電流の値がしきい値に達したと判定したとき、前記電源部による前記エレクトロクロミック素子への電流の供給を停止するように調整させる請求項１に記載の素子制御装置。
【請求項３】
前記エレクトロクロミック素子、前記可変抵抗、及び前記電流測定手段から、前記電源部を電気的に分離可能なスイッチ部を更に有し、
前記制御部が、
前記スイッチ部により前記電源部を電気的に分離させた後、前記可変抵抗の抵抗値を変化させて前記エレクトロクロミック素子から電荷を放出させ、
前記電流測定手段が測定した電流の値がしきい値以下であると判定したとき、前記エレクトロクロミック素子から電荷の放出を抑制する前記抵抗値を前記可変抵抗に設定する請求項１から２のいずれかに記載の素子制御装置。
【請求項４】
前記電源部が、第１の電源及び第２の電源を有し、
前記スイッチ部が、前記第１の電源及び前記第２の電源の少なくともいずれかを前記エレクトロクロミック素子の一方の電極に電気的に接続可能とし、前記エレクトロクロミック素子の他方の電極を基準電位に接続可能である請求項３に記載の素子制御装置。
【請求項５】
前記エレクトロクロミック素子、前記可変抵抗、及び前記電流測定手段から、前記電源部を電気的に分離可能なスイッチ部を更に有し、
前記制御部が、
前記スイッチ部により前記電源部を電気的に分離させた後、前記可変抵抗の抵抗値を限りなく小さい値に変化させて前記エレクトロクロミック素子から電荷を放出させる請求項４に記載の素子制御装置。
【請求項６】
エレクトロクロミック素子と、電源部と、可変抵抗と、電流測定手段と、制御部とを有する素子制御装置において、
前記電源部により前記エレクトロクロミック素子に電流を供給し、
前記可変抵抗により調節された電流の値を、前記電流測定手段を用いて測定し、
前記電流測定手段が測定した前記電流の値に基づき、前記制御部により前記電源部から供給される電流を、前記電源部を用いて調整させることを含むことを特徴とする素子制御方法。
【発明の詳細な説明】
【技術分野】
【０００１】
本発明は、素子制御装置及び素子制御方法に関する。
【背景技術】
【０００２】
電気信号により光の透過率を制御する電気調光素子は、紫外線などの光照射によって光の透過率が変化するフォトクロミック現象を利用した調光素子とは異なり、ユーザーが自由に光の透過率を制御できるなどのメリットを有している。
【０００３】
前記電気調光素子の中でも、エレクトロクロミック素子は、中性状態で透明性が高く、高い光学的濃度を示すことができるため、高コントラスト比を得られるだけでなく、印加する電圧値により着色濃度を制御することにより階調表現が可能であることから、これまで様々な開発が行われている。
【０００４】
前記エレクトロクロミック素子を制御する装置として、応答性向上及び低消費電力の実現を目的に、起電力を発生させる起電力発生要素と、前記起電力により駆動される前記エレクトロクロミック素子と、前記エレクトロクロミック素子と並列に接続された少なくとも１つの抵抗とを有し、前記抵抗に流れる電流量を光学デバイスの通電状態に応じて調整する光学デバイスが提案されている（例えば、特許文献１参照）。
【発明の概要】
【発明が解決しようとする課題】
【０００５】
本発明は、エレクトロクロミック素子が電荷を捕捉及び放出する量を精度よく制御できるとともに、エレクトロクロミック素子及び装置の劣化を抑制可能な素子制御装置を提供することを目的とする。
【課題を解決するための手段】
【０００６】
前記課題を解決するための手段としての本発明の素子制御装置は、エレクトロクロミック素子と、前記エレクトロクロミック素子に電気的に接続され、前記エレクトロクロミック素子への電流の供給を調整する電源部と、前記エレクトロクロミック素子に並列に電気的に接続される可変抵抗と、前記エレクトロクロミック素子に電気的に接続され、前記電流の値を測定する電流測定手段と、前記電流測定手段が測定した電流の値に基づき、前記電源部により前記エレクトロクロミック素子への電流の供給を調整させる制御部とを有する素子制御装置である。
【発明の効果】
【０００７】
本発明によると、エレクトロクロミック素子が電荷を捕捉及び放出する量を精度よく制御できるとともに、エレクトロクロミック素子及び装置の劣化を抑制可能な素子制御装置を提供することができる。
【図面の簡単な説明】
【０００８】
【図１】図１は、本発明の素子制御装置の一例を示すブロック図である。
【図２】図２は、本発明の素子制御装置の他の一例を示すブロック図である。
【図３】図３は、エレクトロクロミック素子の一例を示す概略図である。
【図４】図４は、エレクトロクロミック素子の他の一例を示す概略図である。
【図５】図５は、エレクトロクロミック素子の他の一例を示す概略図である。
【図６】図６は、エレクトロクロミック素子の他の一例を示す概略図である。
【図７】図７は、図２に示す素子制御装置を用いて、エレクトロクロミック素子を着色状態にする制御方法を説明するためのブロック図である。
【図８】図８は、図２に示す素子制御装置を用いて、エレクトロクロミック素子を着色状態にする制御方法を説明するためのブロック図である。
【図９】図９は、図２に示す素子制御装置を用いて、エレクトロクロミック素子を消色状態にする制御方法を説明するためのブロック図である。
【図１０】図１０は、図２に示す素子制御装置を用いて、エレクトロクロミック素子を消色状態にする制御方法を説明するためのブロック図である。
【図１１】図１１は、図２に示す素子制御装置を用いて、エレクトロクロミック素子を消色状態にする制御方法を説明するためのブロック図である。
【図１２】図１２は、図２に示す素子制御装置を用いて、エレクトロクロミック素子を着色保持状態にする制御方法を説明するためのブロック図である。
【図１３】図１３は、本発明の素子制御装置を用いて、エレクトロクロミック素子を着色状態にする制御の流れの一例を示すフローチャートである。
【図１４】図１４は、本発明の素子制御装置を用いて、エレクトロクロミック素子を段階的に消色状態にする制御の流れの一例を示すフローチャートである。
【図１５】図１５は、本発明の素子制御装置を用いて、エレクトロクロミック素子を消色状態にする制御の流れの一例を示すフローチャートである。
【図１６】図１６は、本発明の素子制御装置を用いて、エレクトロクロミック素子を消色状態にする制御の流れの他の一例を示すフローチャートである。
【図１７】図１７は、本発明の素子制御装置を用いて、エレクトロクロミック素子を着色保持状態にする制御の流れの一例を示すフローチャートである。
【図１８】図１８は、本発明の素子制御装置を用いて、エレクトロクロミック素子を着色保持状態にする制御の流れの他の一例を示すフローチャートである。
【図１９】図１９は、比較例１の素子制御装置を示すブロック図である。
【図２０】図２０は、比較例２及び３の素子制御装置を示すブロック図である。
【発明を実施するための形態】
【０００９】
（素子制御装置）
［第１の実施形態］
本発明の素子制御装置の第１の実施形態は、エレクトロクロミック素子と、前記エレクトロクロミック素子に電気的に接続され、前記エレクトロクロミック素子への電流の供給を調整する電源部と、前記エレクトロクロミック素子に並列に電気的に接続される可変抵抗と、前記エレクトロクロミック素子に電気的に接続され、前記電流の値を測定する電流測定手段と、前記電流測定手段が測定した電流の値に基づき、前記電源部により前記エレクトロクロミック素子への電流の供給を調整させる制御部とを有し、前記エレクトロクロミック素子、前記可変抵抗及び前記電流測定手段から、前記電源部を電気的に分離可能なスイッチ部を有することが好ましく、更に必要に応じてその他の手段を有する。
【００１０】
本発明の素子制御装置（以下、単に「制御装置」と称することもある）は、特許文献１に記載の光学デバイスでは、前記エレクトロクロミック素子において電荷を捕捉した状態、即ち、着色保持状態とする際に、前記エレクトロクロミック素子に定電圧を印加し続けて電流を連続的に供給すると、消費電力が大きくなるとともに、前記エレクトロクロミック素子が劣化して黄変する場合があるという知見に基づくものである。
また、前記エレクトロクロミック素子から電荷を放出させる際、即ち、着色状態から消色状態にする際に、電荷を捕捉させる電圧と正負が逆の電圧を印加すると、前記エレクトロクロミック素子の両電極間で電荷の非平衡が生じ、前記エレクトロクロミック素子が劣化して黄変する場合があるという知見に基づくものである。
更に、前記エレクトロクロミック素子が前記素子制御装置の前記電源部などの回路と接続していると、前記エレクトロクロミック素子から放出される電荷が放電電流として前記素子制御装置に流れてダメージを与えて劣化させ、前記素子制御装置の寿命が短くなる場合があるという知見に基づくものである。
なお、本発明の素子制御装置における制御部が行う素子の制御は、本発明の素子制御方法を実施することと同義であるので、本発明の素子制御装置の説明を通して本発明の素子制御方法の詳細についても明らかにする。
【００１１】
＜エレクトロクロミック素子＞
前記エレクトロクロミック素子（以下、「ＥＣ素子」と称することもある）としては、電荷の捕捉及び放出により着色濃度が変更可能であれば特に制限はなく、目的に応じて適宜選択することができるが、応答性や消費電力の点から、着色状態及び消色状態を保持できるメモリー性を有することが好ましい。
前記エレクトロクロミック素子は、第１の電極と、第２の電極と、電解質と、エレクトロクロミック層とを有し、更に必要に応じてその他の層を有する。
前記エレクトロクロミック素子は、前記第１の電極と前記第２の電極との両電極間に電圧を印加され、電流が供給されることにより電荷を捕捉して着色状態となる。また、前記エレクトロクロミック素子は、前記両電極間を短絡（ショート）させる、あるいは着色状態にする電圧とは正負が逆の電圧を印加されて電荷を放出することにより消色状態となる。また、前記エレクトロクロミック素子内に捕捉された電荷の量に応じて、前記エレクトロクロミック素子の着色濃度が変化し、前記両電極間の電圧及び抵抗値も変化する。
なお、前記エレクトロクロミック素子を着色状態にするために印加される電圧を「着色電圧」と称し、消色状態にするために印加される電圧を「消色電圧」と称することもある。
なお、前記エレクトロクロミック素子は、電荷の捕捉及び放出する素子であってもよい。
【００１２】
＜＜第１の電極及び第２の電極＞＞
前記第１の電極及び前記第２の電極は、対向して配置されていれば特に制限はなく、目的に応じて適宜選択することができる。
前記第１の電極及び前記第２の電極の材料としては、導電性を有する材料であれば特に制限はなく、目的に応じて適宜選択することができる。これらの中でも、前記エレクトロクロミック層が発色する色の視認性をより高めるために光の透過性を確保する必要があることから、透明性かつ導電性に優れた透明導電性材料が好ましい。
前記透明導電性材料としては、特に制限はなく、目的に応じて適宜選択することができ、例えば、スズをドープした酸化インジウム、フッ素をドープした酸化スズ、アンチモンをドープした酸化スズ等の無機材料などが挙げられる。
【００１３】
＜＜電解質＞＞
前記電解質としては、前記第１の電極と前記第２の電極との間に充填されていれば特に制限はなく、目的に応じて適宜選択することができるが、支持塩を溶媒に溶解させた電解液が好ましい。前記電解質が前記電解液であると、イオン伝導度を高くすることができる。
前記支持塩としては、例えば、アルカリ金属塩、アルカリ土類金属塩等の無機イオン塩、４級アンモニウム塩や酸類、アルカリ類の支持塩などが挙げられる。
【００１４】
＜＜エレクトロクロミック層＞＞
前記エレクトロクロミック層は、前記第１の電極と前記第２の電極とが対向する面のうち少なくともいずれかに接するように配置される。
前記エレクトロクロミック層としては、前記エレクトロクロミック化合物及びエレクトロクロミック組成物のうち少なくともいずれかを含むことが好ましい。前記エレクトロクロミック層の代わりに前記エレクトロクロミック組成物を前記第１の電極と前記第２の電極とが対向する面のうち少なくともいずれかに接するように配置してもよい。
【００１５】
−エレクトロクロミック化合物−
前記エレクトロクロミック化合物としては、酸化反応又は還元反応により色の変化を起こす材料であれば特に制限はなく、目的に応じて適宜選択することができ、例えば、ポリマー系、色素系、金属錯体、金属酸化物等の公知のエレクトロクロミック化合物などが挙げられる。
【００１６】
前記エレクトロクロミック化合物は、導電性又は半導体性ナノ構造体に吸着させた前記エレクトロクロミック組成物とすることが好ましい。
前記ナノ構造体とは、ナノ粒子、ナノポーラス構造体などのナノスケールの凹凸を有する構造体を意味する。
前記ナノ構造体の材質としては、透明性や導電性の点から金属酸化物が好ましい。
【００１７】
前記エレクトロクロミック化合物は、ホスホン酸基、リン酸基、及びカルボキシル基の少なくともいずれかを有することが好ましい。前記エレクトロクロミック化合物がホスホン酸基、リン酸基、カルボキシル基の少なくともいずれかを有すると、容易に前記ナノ構造体と複合化し、着色保持性に優れたエレクトロクロミック組成物を得ることができる。
【００１８】
前記エレクトロクロミック化合物は、シリル基及びシラノール基の少なくともいずれかを有することが好ましい。前記エレクトロクロミック化合物がシリル基及びシラノール基の少なくともいずれかを有すると、シロキサン結合を介して前記ナノ構造体と結合されるため、その結合が強固なものとなり、安定性に優れたエレクトロクロミック組成物を得ることができる。
なお、前記シロキサン結合とは、ケイ素原子及び酸素原子を介した化学結合である。
【００１９】
−エレクトロクロミック組成物−
前記エレクトロクロミック組成物としては、特に制限はなく、目的に応じて適宜選択することができるが、前記エレクトロクロミック化合物と前記ナノ構造体がシロキサン結合を介して結合した構造を有することが好ましい。
【００２０】
前記エレクトロクロミック素子の層構成としては、特に制限はなく、目的に応じて適宜選択することができ、例えば、図３〜図６に示すような層構成などが挙げられる。
図６に示すエレクトロクロミック素子の構成の場合、前記第１の電極が酸化極、前記第２の電極が還元極となる。この場合、前記第１の電極を＋電位とし、前記第２の電極を基準電位（ＧＮＤ）とすると、前記エレクトロクロミック素子内に電荷が捕捉されて着色状態となる。また、前記第２の電極を＋電位とし、前記第１の電極を前記基準電位とすると、着色時に捕捉された電荷が前記エレクトロクロミック素子内から放出されて消色状態となる。
【００２１】
＜可変抵抗＞
前記可変抵抗としては、前記エレクトロクロミック素子に並列に接続されていれば特に制限はなく、目的に応じて適宜選択することができる。これらの中でも、抵抗値の最小値が限りなく小さい値が好ましく、前記エレクトロクロミック素子の抵抗値の近傍において分解能及び制御性が良好なものがより好ましい。前記抵抗値の最小値が前記限りなく小さい値であると、前記エレクトロクロミック素子を消色状態にするとき、前記エレクトロクロミック素子内の電荷を放出させやすくなる点で有利である。前記限りなく小さい値としては、部材及び構成により変化するが、例えば、５０Ω以下が好ましく、１０Ω以下がより好ましい。
前記可変抵抗は、例えば、前記制御部から入力される抵抗値制御信号により抵抗値を設定されることが好ましい。
前記可変抵抗としては、例えば、電子ボリュームなどが挙げられる。
また、前記可変抵抗は、固定抵抗をスイッチなどにより切り換えるものであってもよい。
【００２２】
前記可変抵抗を前記エレクトロクロミック素子に並列に接続する回路を「ショート回路」と称することもある。
前記ショート回路としては、前記可変抵抗に直列に前記電流測定手段が接続されることが好ましい。
【００２３】
＜電流測定手段＞
前記電流測定手段としては、前記エレクトロクロミック素子に電気的に接続され、前記電流の値を測定できれば特に制限はなく、目的に応じて適宜選択することができる。
前記電流の値としては、瞬間値でも積算値でもよい。測定した前記電流値のデータの形式は、特に制限はなく、目的に応じて適宜選択することができ、アナログ値であっても、オペアンプ、Ａ／Ｄコンバータなどによりアナログ−デジタル変換して、例えば、後述する相関データテーブルのしきい値と比較できれば、どのような形式でもよい。
前記アナログ−デジタル変換をするには、前記制御部で使用するマイクロコントローラ等に内蔵されているＡ／Ｄコンバータを用いてもよく、前記制御部に外付けとしたＡ／Ｄコンバータを用いてもよい。
前記電流測定手段は、前記制御部から入力される電流測定制御信号により、前記ショート回路に流れる電流の値の測定を制御されることが好ましい。
【００２４】
＜電源部＞
前記電源部としては、前記エレクトロクロミック素子に電気的に接続され、前記エレクトロクロミック素子への電流の供給を調整できれば特に制限はなく、目的に応じて適宜選択することができる。前記エレクトロクロミック素子としての前記エレクトロクロミック素子の構成によっては、前記エレクトロクロミック素子に対して正電圧だけでなく負電圧の印加が必要となるため、前記エレクトロクロミック素子に正負両方の電圧を印加できる電源が好ましい。
前記電源部は、前記制御部から入力される電流供給制御信号により前記エレクトロクロミック素子への電流の供給を調整されることが好ましい。
また、前記電源部は、１つの電源であってもよく、複数の電源を有してもよい。前記電源部が２つの電源を有する場合、負電源を含めた正／正、負／正、正／負、負／負の電源の組合せとしてもよい。
【００２５】
＜制御部＞
前記制御部としては、前記電流測定手段が測定した電流の値に基づき、後述する電流制御信号と、第１のスイッチ制御信号、第２のスイッチ制御信号、第３のスイッチ制御信号、及び第４のスイッチ制御信号と、前記抵抗値制御信号と、前記電流測定制御信号とをそれぞれ出力して各部の制御を行い、前記電源部により前記エレクトロクロミック素子への電流の供給を調整させることができれば特に制限はなく、目的に応じて適宜選択することができる。
前記制御部としては、前記素子制御装置の各動作を制御するＣＰＵ（Ｃｅｎｔｒａｌ  Ｐｒｏｃｅｓｓｉｎｇ  Ｕｎｉｔ）などを有し、前記素子制御装置全体の動作を制御するための制御プログラムに基づいて各種処理を実行する。
【００２６】
前記制御部は、前記相関データテーブルを記憶する記憶手段を有することが好ましい。
前記記憶手段としては、例えば、ハードディスク、ＲＡＭ（Ｒａｎｄｏｍ  Ａｃｃｅｓｓ  Ｍｅｍｏｒｙｓ）などが挙げられる。
【００２７】
前記相関データテーブルは、前記エレクトロクロミック素子に供給した電流に対する前記エレクトロクロミック素子の着色濃度、前記エレクトロクロミック素子の両電極間の抵抗値等の測定値などのデータであり、前記記憶手段などに記憶されていることが好ましい。前記エレクトロクロミック素子が使用環境温度などの条件により、その特性値が変化しやすいため、前記相関データテーブルを作成して前記記憶手段などに記憶しておくと、所望の着色濃度を実現できる前記電流の値のしきい値を容易に決定することができる。また、前記エレクトロクロミック素子が劣化した場合であっても、前記相関データテーブルの値と前記電流測定手段が測定した前記電圧の値とを比較することにより、精度よく劣化した状態を判定することができ、劣化した状態に応じて供給する電流を調整することも可能である。
【００２８】
＜スイッチ部＞
前記スイッチ部としては、前記エレクトロクロミック素子、前記可変抵抗、及び前記電流測定手段から、前記電源部を電気的に分離可能であれば特に制限はなく、目的に応じて適宜選択することができるが、第１のスイッチと、第２のスイッチとを有することが好ましい。前記ショート回路に直列に前記スイッチを接続してもよい。
前記第１のスイッチとしては、前記電源部の一方の端子と前記エレクトロクロミック素子の一方の電極との間に直列に接続され、前記制御部から入力される第１のスイッチ制御信号により通電状態をオンオフに切り換え可能であることが好ましい。
前記第２のスイッチとしては、前記電源部の他方の端子と前記エレクトロクロミック素子の他方の電極との間に直列に接続され、前記制御部から入力される第２のスイッチ制御信号により通電状態をオンオフに切り換え可能であることが好ましい。
前記スイッチとしては、例えば、リレー等のメカニカルスイッチ、半導体によるアナログスイッチ、ＭＯＳＦＥＴ等の電界効果トランジスタなどが挙げられる。
【００２９】
＜その他の手段＞
前記その他の手段としては、特に制限はなく、目的に応じて適宜選択することができ、例えば、前記制御部、前記電源部等を駆動させるためのシステム電源などが挙げられる。
【００３０】
次に、本発明の素子制御装置の第１の実施形態を用いて、前記エレクトロクロミック素子を着色状態、段階的に消色状態（階調）、消色状態、及び着色保持状態にする制御について説明する。
【００３１】
−エレクトロクロミック素子を着色状態にする制御−
前記エレクトロクロミック素子を着色状態にする制御としては、前記制御部が、前記電源部により前記エレクトロクロミック素子に電流を供給させ、前記電流測定手段が測定した電流の値がしきい値に達したと判定したとき、前記電源部による前記エレクトロクロミック素子への電流の供給を停止するように調整させることが好ましい。
なお、前記電流測定手段が測定した電流の値がしきい値に達したとは、前記電流測定手段を前記エレクトロクロミック素子に直列に接続されている場合はしきい値以下となり、前記電流測定手段を前記エレクトロクロミック素子に並列に接続されている場合はしきい値以上となる。
本制御における前記しきい値は、前記相関データテーブルに基づき決定される、所望の着色状態に応じた前記エレクトロクロミック素子の電圧範囲の下限値とすることが好ましい。また、本制御における前記エレクトロクロミック素子に供給させる電流の値は、前記相関データテーブルに基づき決定される、所望の着色状態に応じた前記エレクトロクロミック素子の電流の値とすることが好ましい。
【００３２】
このように、本制御では、前記制御部が、前記電源部により前記エレクトロクロミック素子に電流を供給させると、前記エレクトロクロミック素子が着色されていくにつれて前記エレクトロクロミック素子の抵抗値が高くなる。すると、前記電流測定手段が測定する電流の値が変化することから、前記電流測定手段が測定した電流の値に基づき、前記電源部により前記エレクトロクロミック素子への電流の供給を調整させることにより、前記エレクトロクロミック素子の着色状態を精度よく制御することができる。
また、前記制御部が、前記電流測定手段が測定した電流の値がしきい値に達したと判定したとき、前記電源部による前記エレクトロクロミック素子への電流の供給を停止するように調整させることにより、前記エレクトロクロミック素子に電流が供給され続けて過剰な負荷をかけることが少なくなるため、前記エレクトロクロミック素子の劣化を抑制することができる。
更に、前記可変抵抗を前記エレクトロクロミック素子に並列に接続されていることにより、前記しきい値に達した後に、前記電源部などから過電流が供給されたり高電圧が印加されたりする場合であっても、前記可変抵抗にも電流が流れるため、前記エレクトロクロミック素子の劣化を抑制することができる。
なお、前記エレクトロクロミック素子への電流の供給の停止は、前記電源部からの電流の供給をオフにすることにより行ってもよく、前記スイッチ部により、前記電源部と前記エレクトロクロミック素子との通電状態をオフにすることにより行ってもよい。
【００３３】
前記制御部が、前記電源部により前記エレクトロクロミック素子に電流を供給させる際に、前記可変抵抗及び前記電流測定手段を直列に接続させた前記ショート回路の構成とし、前記エレクトロクロミック素子に並列に前記ショート回路を接続することが好ましい。このようにすると、前記エレクトロクロミック素子の着色に不要な電流が前記ショート回路に流れ、測定した電流の値に基づいて制御を行うため、仮に、前記エレクトロクロミック素子の両電極間に高電圧が印加されたとしても、前記エレクトロクロミック素子の劣化を抑制することが可能となる。
また、前記ショート回路を並列に前記エレクトロクロミック素子に接続した場合、前記エレクトロクロミック素子を着色状態にする際の前記可変抵抗の抵抗値としては、前記所望の着色状態の前記エレクトロクロミック素子の抵抗値以上が好ましい。前記可変抵抗の抵抗値が前記好ましい範囲であると、前記ショート回路に流れる電流が少なくなり、前記エレクトロクロミック素子を着色状態にするための消費電力を低減できる。
【００３４】
−エレクトロクロミック素子を段階的に消色状態にする制御−
前記エレクトロクロミック素子を段階的に消色状態にする制御としては、前記素子制御装置が、前記エレクトロクロミック素子、前記可変抵抗及び前記電流測定手段から、前記電源部を電気的に分離可能なスイッチ部を更に有し、前記制御部が、前記スイッチ部により前記電源部を電気的に分離させた後、前記可変抵抗の抵抗値を変化させて前記エレクトロクロミック素子から電荷を放出させ、前記電流測定手段が測定した電流の値がしきい値以下であると判定したとき、前記エレクトロクロミック素子から電荷の放出を抑制する前記抵抗値を前記可変抵抗に設定することが好ましい。
【００３５】
このように、本制御では、着色状態の前記エレクトロクロミック素子と前記ショート回路から前記電源部を電気的に分離させた後、前記エレクトロクロミック素子が濃色から淡色に向かう所望の着色濃度になるように、前記可変抵抗の抵抗値を変化させて前記エレクトロクロミック素子から電荷を放出させ、その放電電流を測定することにより、前記エレクトロクロミック素子を消色状態にする制御を精度よく行うことができる。なお、前記可変抵抗の抵抗値を段階的に変化させることにより、前記エレクトロクロミック素子を階調制御することができる。なお、階調された着色状態の前記エレクトロクロミック素子は、着色保持状態に移行することもでき、消色状態に移行することもできる。
また、前記エレクトロクロミック素子、前記可変抵抗、及び前記電流測定手段から、前記電源部を電気的に分離させることにより、前記電源部などを有する前記素子制御装置を前記エレクトロクロミック素子からの放電電流から保護することができる。
更に、本制御の前記しきい値は、前記相関データテーブルに基づいて決定されたものであって、前記可変抵抗の抵抗値を変化させて前記エレクトロクロミック素子から電荷を放出させ、前記エレクトロクロミック素子が所望の着色濃度に変化し、その変化に伴う放電電流が流れ切ったと考えられる値であることが好ましい。すると、前記電流測定手段が測定した電流の値が、前記しきい値以下であると判定したとき、前記エレクトロクロミック素子から電荷の放出を抑制する前記抵抗値を前記可変抵抗に設定することにより、所望の着色状態を長時間維持することができる。
【００３６】
−エレクトロクロミック素子を消色状態にする制御−
前記エレクトロクロミック素子を消色状態にする制御としては、前記素子制御装置が、前記エレクトロクロミック素子、前記可変抵抗、及び前記電流測定手段から、前記電源部を電気的に分離可能なスイッチ部を更に有し、前記制御部が、前記スイッチ部により前記電源部を電気的に分離させた後、限りなく小さい値を前記可変抵抗に設定することが好ましい。前記限りなく小さい値としては、部材及び構成により変化するが、例えば、５０Ω以下が好ましく、１０Ω以下がより好ましい。
【００３７】
このように、本制御では、前記制御部が、前記スイッチ部により前記電源部を電気的に分離させた後、前記限りなく小さい値を前記可変抵抗に設定することにより、前記電源部などの装置を前記エレクトロクロミック素子の放電電流から保護しながら、前記エレクトロクロミック素子から前記可変抵抗に放電電流が流れ、前記エレクトロクロミック素子を消色状態に制御することができる。
また、前記限りなく小さい値を前記可変抵抗に設定することにより、前記エレクトロクロミック素子の両電極間の電位差がほぼなくなり、効率よく前記エレクトロクロミック素子から放電させ、両電極を平衡状態にすることができる。このため、前記エレクトロクロミック素子に前記消色電圧を印加せず、前記エレクトロクロミック素子の劣化を抑制しながら消色状態にすることができる。更に、前記エレクトロクロミック素子に消色電圧を印加しないため、消費電力を低減することができる。
【００３８】
前記エレクトロクロミック素子に並列に前記ショート回路を接続した場合、前記スイッチ部により前記電源部が電気的に分離される前の前記可変抵抗の前記抵抗値としては、着色状態の前記エレクトロクロミック素子の前記抵抗値よりも大きな値に設定することが好ましい。
【００３９】
なお、前記限りなく小さい値を前記可変抵抗に設定する代わりに、前記可変抵抗を接続しない他のショート回路を並設して接続するようにしてもよい。
また、前記ショート回路に流れる電流の値を、前記相関データテーブルと比較することで、前記エレクトロクロミック素子に着色残り（消え残り）があるかを判定することが可能となり、必要に応じて消色電圧を印加して着色残りを解消するようにしてもよい。
【００４０】
−エレクトロクロミック素子を着色保持状態にする制御−
前記エレクトロクロミック素子を着色保持状態にする制御としては、前記素子制御装置が、前記エレクトロクロミック素子、前記可変抵抗及び前記電流測定手段から、前記電源部を電気的に分離可能なスイッチ部を更に有し、前記制御部が、前記スイッチ部により前記電源部を電気的に分離させた後、前記エレクトロクロミック素子から放出される電荷による電流が、前記電流測定手段により測定可能な低い電流の値となるように抵抗値を前記可変抵抗に設定し、前記電流測定手段が測定した電流の値がしきい値以上であると判定したとき、前記スイッチ部により前記電源部の電気的な分離を解除させて、前記電源部により前記エレクトロクロミック素子への電流の供給を調整させることが好ましい。
【００４１】
このように、本制御では、前記エレクトロクロミック素子及び前記ショート回路から前記電源部を電気的に分離し、着色状態の前記エレクトロクロミック素子からの放電電流を前記電流測定手段により測定し、前記放電電流が大きい場合、再度着色電圧を印加するため、低消費電力で長時間、前記エレクトロクロミック素子の着色濃度を保持するように制御でき、前記エレクトロクロミック素子の劣化を抑制することができる。
【００４２】
また、本制御における前記エレクトロクロミック素子への電流の供給を調整するための電圧（追加着色電圧）は、前記相関データテーブルに基づいて決定された着色電圧近傍であることが好ましい。
前記追加着色電圧の印加時間としては、着色電圧の印加時間以下が好ましい。
【００４３】
前記追加着色電圧を印加する際には、前記ショート回路は接続されていてもよい。
前記追加着色電圧を印加した後、前記スイッチ部により前記エレクトロクロミック素子と前記ショート回路から前記電源部などの前記素子制御装置が電気的に分離され、前記電流測定手段により測定した電流の値の監視を継続するようにしてもよい。この監視は、任意のタイミングで終了させることができ、例えば、あらかじめ設定した保持時間Ｔ以上であると判定すると処理を終了させるようしてもよい。
【００４４】
［第２の実施形態］
本発明の素子制御装置の第２の実施形態は、第１の実施形態の構成において、前記スイッチ部が、前記エレクトロクロミック素子を基準電位に接続可能としている。
第１の実施形態と異なる点である前記スイッチ部について説明する。
【００４５】
＜スイッチ部＞
前記スイッチ部としては、前記エレクトロクロミック素子のいずれかの電極を基準電位に接続できれば特に制限はなく、目的に応じて適宜選択することができる。第１の実施形態の好ましい態様として挙げた前記第１のスイッチ及び前記第２のスイッチに加えて、第３のスイッチ、第４のスイッチ、及び第５のスイッチを有することが好ましい。
前記第３のスイッチとしては、前記エレクトロクロミック素子の一方の電極と基準電位との間に直列に接続され、入力される第３のスイッチ制御信号に応じて通電状態をオンオフに切り換えできれば特に制限はなく、目的に応じて適宜選択することができる。
前記第４のスイッチとしては、前記エレクトロクロミック素子の他方の電極と前記基準電位との間に直列に接続され、入力される第４のスイッチ制御信号に応じて通電状態をオンオフに切り換えできれば特に制限はなく、目的に応じて適宜選択することができる。
前記第５のスイッチとしては、前記可変抵抗の一方の電極と基準電位との間に直列に接続され、入力される第５のスイッチ制御信号に応じて通電状態をオンオフ切り替えできれば特に制限はなく、目的に応じて適宜選択することができる。
前記スイッチ部としては、前記第１のスイッチ及び前記第２のスイッチと同様に、例えば、リレー等のメカニカルスイッチ、半導体によるアナログスイッチ、ＭＯＳＦＥＴ等の電界効果トランジスタなどが挙げられる。
【００４６】
このような前記スイッチ部とした場合、前記電源部が、第１の電源及び第２の電源を有し、前記スイッチ部が、前記第１の電源及び前記第２の電源の少なくともいずれかを前記エレクトロクロミック素子の一方の電極に電気的に接続可能とし、前記エレクトロクロミック素子の他方の電極を基準電位に接続可能としてもよい。
前記第１の電源としては、特に制限はなく、目的に応じて適宜選択することができるが、前記第１のスイッチに直列に接続され、前記電流制御信号に応じた電圧を発生させ、前記エレクトロクロミック素子への電流の供給を調整できることが好ましい。
前記第２の電源としては、特に制限はなく、目的に応じて適宜選択することができるが、前記第２のスイッチに直列に接続され、前記電流制御信号に応じた電圧を発生させ、前記エレクトロクロミック素子への電流の供給を調整できることが好ましい。
前記第１の電源及び前記第２の電源のいずれかを用いて前記エレクトロクロミック素子に電圧を印加するようにしてもよく、前記第１の電源及び前記第２の電源のそれぞれから発生させる電圧の差により前記エレクトロクロミック素子に電圧を印加するようにしてもよい。
【００４７】
次に、本発明の素子制御装置の第２の実施形態を用いて、前記エレクトロクロミック素子を着色状態、段階的に消色状態（階調）、消色状態、及び着色保持状態にする制御について説明する。
【００４８】
−エレクトロクロミック素子を着色状態にする制御−
前記エレクトロクロミック素子を着色状態する制御としては、前記制御部が、前記第１のスイッチ及び前記第４のスイッチの通電状態をオンに切り換え、前記第２のスイッチ及び前記第３のスイッチの通電状態をオフに切り換えた後、前記電源部により前記エレクトロクロミック素子に電流を供給させ、前記電流測定手段が測定した電流の値がしきい値に達したと判定したとき、前記電源部により前記エレクトロクロミック素子への電流の供給を停止するように調整させることが好ましい。
【００４９】
−エレクトロクロミック素子を段階的に消色状態にする制御−
前記エレクトロクロミック素子を段階的に消色状態にする制御としては、前記制御部が、前記第１のスイッチから前記第４のスイッチまで通電状態をオフに切り換え、前記電源部を電気的に分離させた後、前記可変抵抗の抵抗値を変化させて前記エレクトロクロミック素子から電荷を放出させ、前記電流測定手段が測定した電流の値がしきい値以下であると判定したとき、前記エレクトロクロミック素子から電荷の放出を抑制する前記抵抗値を前記可変抵抗に設定することが好ましい。
【００５０】
前記エレクトロクロミック素子を消色状態にする他の制御としては、前記制御部が、前記第１のスイッチ及び前記第４のスイッチの通電状態をオフに切り換え、前記第２のスイッチ及び前記第３のスイッチの通電状態をオンに切り換えた後、前記電源部により前記エレクトロクロミック素子への電流の供給を、前記エレクトロクロミック素子から電荷が放出するように調整させることが好ましい。
【００５１】
前記エレクトロクロミック素子を消色状態にする他の制御としては、前記制御部が、前記第１のスイッチから前記第４のスイッチまでの通電状態をオフに切り換え、前記電源部を電気的に分離させた後、限りなく小さい値を前記可変抵抗に設定することが好ましい。
【００５２】
−エレクトロクロミック素子を着色保持状態にする制御−
前記エレクトロクロミック素子を着色保持状態にする制御としては、前記制御部が、前記第１のスイッチから前記第４のスイッチまでの通電状態をオフに切り換え、前記電源部を電気的に分離させた後、前記エレクトロクロミック素子から放出される電荷による電流が、前記電流測定手段により測定可能な低い電流の値となるように抵抗値を前記可変抵抗に設定し、前記電流測定手段が測定した電流の値がしきい値以上であると判定したとき、前記第１のスイッチ及び前記第４のスイッチの通電状態をオンに切り換え、前記電源部により前記エレクトロクロミック素子への電流の供給を調整させることが好ましい。
【００５３】
ここで、本発明の素子制御装置を用いたエレクトロクロミック素子の着消色状態にさせる動作について図面を参照して説明する。
なお、各図面において、同一構成部分には同一符号を付し、重複した説明を省略する場合がある。また、下記構成部材の数、位置、形状等は本実施の形態に限定されず、本発明を実施する上で好ましい数、位置、形状等にすることができる。
【００５４】
まず、本発明の素子制御装置が行うエレクトロクロミック素子を着色状態にする制御方法を、図１３に示すフローチャートの図中Ｓで表すステップにしたがって図１を参照しながら説明する。なお、本処理の開始段階では、ＥＣ素子１１０を消色状態としている。
【００５５】
Ｓ１０１：制御部１４０は、ショート回路１２０の可変抵抗１２１に抵抗値制御信号１４２を出力して、抵抗値制御信号１４２に応じた前記抵抗値を可変抵抗１２１に設定する。
本ステップの前記抵抗値としては、所望の着色状態のＥＣ素子１１０の抵抗値より高い抵抗値Ｒ１が好ましい。前記抵抗値が前記抵抗値Ｒ１であると、ショート回路１２０に流れる電流を低減できるため、消費電力を抑制することができる。
Ｓ１０２：制御部１４０は、電流測定手段１２２に電流測定制御信号１４３を出力して、ショート回路１２０に流れる電流の値（以下、「電流値ＩＤ」と称することもある）の測定を開始させ、得られた電流値ＩＤの信号を出力させる。
Ｓ１０３：制御部１４０は、電源部１５１に電流制御信号１４１を出力して、ＥＣ素子１１０に対して着色電圧の印加を開始させる。
前記着色電圧は、前記相関データテーブルに基づいて決定された電圧であることが好ましい。
Ｓ１０４：制御部１４０は、電流値ＩＤがしきい値以上であると判定すると処理をＳ１０５に移行し、電流値ＩＤがしきい値以上でないと判定すると電流値ＩＤの監視を継続する。
Ｓ１０５：制御部１４０は、電源部１５１に電流制御信号１４１を出力して、ＥＣ素子１１０への着色電圧の印加を停止させ、本処理を終了する。
【００５６】
次に、本発明の素子制御装置が行うエレクトロクロミック素子を段階的に消色状態にする制御を、図１４に示すフローチャートの図中Ｓで表すステップにしたがって図１を参照しながら説明する。なお、本処理の開始段階では、ＥＣ素子１１０を任意の方法で着色状態としている。
【００５７】
Ｓ２０１：制御部１４０は、ショート回路１２０の可変抵抗１２１に抵抗値制御信号１４２を出力して、抵抗値制御信号１４２に応じた前記抵抗値Ｒ１を可変抵抗１２１に設定する。
Ｓ２０２：制御部１４０は、第１のスイッチ１３１及び第２のスイッチ１３２にスイッチ制御信号１４４を出力して、第１のスイッチ１３１及び第２のスイッチ１３２の通電状態をオフに切り換え、ＥＣ素子１１０及びショート回路１２０から電源部１５１を電気的に分離させる。
ショート回路１２０から電源部１５１を電気的に分離させることにより、着色状態のＥＣ素子１１０の放電電流から電源部１５１などの素子制御装置１０を保護することができる。
Ｓ２０３：制御部１４０は、電流測定手段１２２に電流測定制御信号１４３を出力して、ショート回路１２０に流れる電流値ＩＤの測定を開始させ、得られた電流値ＩＤの信号を出力させる。
Ｓ２０４：制御部１４０は、可変抵抗１２１に抵抗値制御信号１４２を出力して、可変抵抗１２１の抵抗値を、着色状態（現状）のＥＣ素子１１０の抵抗値より低い抵抗値Ｒ２に設定する。
可変抵抗１２１の前記抵抗値を前記抵抗値Ｒ２に設定することにより、ＥＣ素子１１０から可変抵抗１２１に電荷を放出させ、ＥＣ素子１１０の着色濃度を低下させることができる。
Ｓ２０５：制御部１４０は、電流値ＩＤがしきい値以上であると判定すると処理をＳ２０６に移行し、電流値ＩＤがしきい値以上でないと判定すると電流値ＩＤの監視を継続する。
Ｓ２０６：制御部１４０は、可変抵抗１２１に抵抗値制御信号１４２を出力して、可変抵抗１２１の抵抗値を、着色状態（現状）のＥＣ素子１１０の抵抗値より高い抵抗値Ｒ３に設定し、本処理を終了する。
【００５８】
次に、本発明の素子制御装置が行うエレクトロクロミック素子を消色状態にする制御を、図１５に示すフローチャートの図中Ｓで表すステップにしたがって図１を参照しながら説明する。なお、本処理の初期段階Ｓ３０１では、ＥＣ素子１１０を任意の方法で着色状態としている。
【００５９】
Ｓ３０２：制御部１４０は、ショート回路１２０の可変抵抗１２１に抵抗値制御信号１４２を出力して、抵抗値制御信号１４２に応じた前記抵抗値Ｒ１を可変抵抗１２１に設定する。
Ｓ３０３：制御部１４０は、前記第１のスイッチ制御信号及び前記第２のスイッチ制御信号１４４を第１のスイッチ１３１及び第２のスイッチ１３２に出力して、第１のスイッチ１３１及び第２のスイッチ１３２の通電状態をオフに切り換え、ＥＣ素子１１０及びショート回路１２０から電源部１５１を電気的に分離させる。
Ｓ３０４：制御部１４０は、ショート回路１２０の可変抵抗１２１に抵抗値制御信号１４２を出力して、可変抵抗１２１の抵抗値を限りなく小さくすることにより、ＥＣ素子１１０に捕捉された電荷を放出させて消色状態にし、本処理を終了する。
【００６０】
次に、本発明の素子制御装置が行うエレクトロクロミック素子を消色状態にする制御を、図１６に示すフローチャートの図中Ｓで表すステップにしたがって図１を参照しながら説明する。なお、本処理の開始段階Ｓ４０１では、ＥＣ素子１１０を任意の方法で着色状態としている。
【００６１】
Ｓ４０２：制御部１４０は、ショート回路１２０の可変抵抗１２１に抵抗値制御信号１４２を出力して、抵抗値制御信号１４２に応じた前記抵抗値Ｒ１を可変抵抗１２１に設定する。
Ｓ４０３：制御部１４０は、第１のスイッチ１３１及び第２のスイッチ１３２に前記第１のスイッチ制御信号及び前記第２のスイッチ制御信号１４４を出力して、第１のスイッチ１３１及び第２のスイッチ１３２の通電状態をオフに切り換え、ＥＣ素子１１０及びショート回路１２０から電源部１５１を電気的に分離させる。
Ｓ４０４：制御部１４０は、電流測定手段１２２に電流測定制御信号１４３を出力して、ショート回路１２０に流れる電流値ＩＤの測定を開始させ、得られた電流値ＩＤの信号を出力させる。
Ｓ４０５：制御部１４０は、ショート回路１２０の可変抵抗１２１に抵抗値制御信号を出力して、可変抵抗１２１の抵抗値を限り無く小さくすることにより、ＥＣ素子１１０に捕捉された電荷を放出させて消色状態に移行させる。
Ｓ４０６：制御部１４０は、電流値ＩＤがしきい値以上であると判定すると本処理を終了し、電流値ＩＤがしきい値以上でないと判定すると処理をＳ４０７に移行させる。
本ステップの制御部１４０による判定は、得られた電流値ＩＤと、予め取得したＥＣ素子１１０の前記相関データテーブルとを照らし合わせ、得られた電流値ＩＤのほうが前記相関データテーブルの電流値より大きい場合、ＥＣ素子１１０から放出されていない電荷が残留して着色残り（消え残り）があると判定し、処理をＳ４０７に移行してＥＣ素子１１０に消色電圧を印加して、着色残りを解消するようにしている。
Ｓ４０７：制御部１４０は、第１のスイッチ１３１及び第２のスイッチ１３２に前記第１のスイッチ制御信号及び前記第２のスイッチ制御信号１４４を出力して、第１のスイッチ１３１及び第２のスイッチ１３２の通電状態をオンにし、ＥＣ素子１１０及びショート回路１２０を電源部１５１に接続させる。
Ｓ４０８：制御部１４０は、電源部１５１に電流制御信号１４１を出力して、ＥＣ素子１１０に対して消色電圧を印加させる。
Ｓ４０９：制御部１４０は、第１のスイッチ１３１及び第２のスイッチ１３２に前記第１のスイッチ制御信号及び前記第２のスイッチ制御信号１４４を出力して、第１のスイッチ１３１及び第２のスイッチ１３２の通電状態をオフに切り換え、ＥＣ素子１１０及びショート回路１２０から電源部１５１を電気的に分離させ、処理をＳ４０５に移行させる。
【００６２】
次に、本発明の素子制御装置が行うエレクトロクロミック素子を着色保持状態にする制御を、図１７に示すフローチャートの図中Ｓで表すステップにしたがって図１を参照しながら説明する。なお、本処理の開始段階では、ＥＣ素子１１０を任意の方法で着色状態としている。
【００６３】
Ｓ５０１：制御部１４０は、ショート回路１２０の可変抵抗１２１に抵抗値制御信号１４２を出力して、抵抗値制御信号１４２に応じた前記抵抗値Ｒ１を可変抵抗１２１に設定する。
Ｓ５０２：制御部１４０は、第１のスイッチ１３１及び第２のスイッチ１３２に前記第１のスイッチ制御信号及び前記第２のスイッチ制御信号１４４を出力して、第１のスイッチ１３１及び第２のスイッチ１３２の通電状態をオフに切り換え、ＥＣ素子１１０及びショート回路１２０から電源部１５１を電気的に分離させる。
Ｓ５０３：制御部１４０は、電流測定手段１２２に電流測定制御信号１４３を出力して、ショート回路１２０に流れる電流値ＩＤの測定を開始させ、得られた電流値ＩＤの信号を出力させる。
なお、電流値ＩＤが積算値であって、Ｓ５０９から移行されてきた場合、電流値ＩＤはこのステップでリセットされる。電流値ＩＤが瞬間値であれば、引き続き電流値ＩＤの測定が行われる。
Ｓ５０４：制御部１４０は、ショート回路１２０の可変抵抗１２１に抵抗値制御信号１４２を出力して、可変抵抗１２１の前記抵抗値を、Ｓ５０１の前記抵抗値Ｒ１より低い抵抗値Ｒ４に設定する。
前記抵抗値Ｒ４としては、ショート回路１２０を流れる電流値が測定できる程度の値であればよく、前記抵抗値Ｒ１よりも小さいことが好ましく、着色状態のＥＣ素子１１０の抵抗値を大きく下回らないことがより好ましい。前記抵抗値Ｒ４が着色状態のＥＣ素子１１０の抵抗値よりも大きく下回ると、ショート回路１２０に電流が急激に流れてしまい、着色状態を電流値によりモニタリングする前に、ＥＣ素子１１０の着色状態が大きく変化してしまう。
Ｓ５０５：制御部１４０は、電流値ＩＤがしきい値以上であると判定すると処理をＳ５０６に移行させ、電流値ＩＤがしきい値以上でないと判定すると電流値ＩＤの監視を継続する。
電流値ＩＤがしきい値以上の場合、ＥＣ素子１１０から電荷が放出してしまい、着色状態を保持できていないと判定し、処理をＳ５０６に移行して再度着色電圧を印加するようにしている。
なお、電流値ＩＤは、濃色から淡色へ着色状態が推移する際の電流の積算値であって、ＥＣ素子１１０から放出された電荷量である。また、積算値でなくても、瞬間値であってもよい。電流値ＩＤを瞬間値とした場合、制御部１４０は、電流値ＩＤがしきい値以上であると判定すると処理をＳ５０６に移行させ、電流値ＩＤがしきい値以上でないと電流値ＩＤの監視を継続する。
Ｓ５０６：制御部１４０は、第１のスイッチ１３１及び第２のスイッチ１３２に前記第１のスイッチ制御信号及び前記第２のスイッチ制御信号１４４を出力して、第１のスイッチ１３１及び第２のスイッチ１３２の通電状態をオンに切り替えて、ＥＣ素子１１０及びショート回路１２０を電源部１５１に接続させる。
Ｓ５０７：制御部１４０は、ショート回路１２０の可変抵抗１２１に抵抗値制御信号１４２を出力して、可変抵抗１２１の抵抗値を前記抵抗値Ｒ１に設定する。
Ｓ５０８：制御部１４０は、電源部１５１に前記電流制御信号１４１を出力して、ＥＣ素子１１０に対して着色電圧を印加させる。
Ｓ５０９：制御部１４０は、第１のスイッチ１３１及び第２のスイッチ１３２に前記第１のスイッチ制御信号及び前記第２のスイッチ制御信号１４４を出力して、第１のスイッチ１３１及び第２のスイッチ１３２の通電状態をオフに切り換え、ＥＣ素子１１０及びショート回路１２０から電源部１５１を電気的に分離させ、処理をＳ５０３に移行させる。
【００６４】
次に、本発明の素子制御装置が行うエレクトロクロミック素子を着色保持状態にする制御を、図１８に示すフローチャートの図中Ｓで表すステップにしたがって図１を参照しながら説明する。なお、本処理の開始段階では、ＥＣ素子１１０を任意の方法で着色状態としている。また、本処理では、図１７に示した前記エレクトロクロミック素子を着色保持状態にする制御とは異なり、あらかじめ設定した保持時間が経過すると、前記電流値の監視を止めて処理を終了する。
【００６５】
Ｓ６０１：制御部１４０は、ショート回路１２０の可変抵抗１２１に抵抗値制御信号１４２を出力して、抵抗値制御信号１４２に応じた前記抵抗値Ｒ１を可変抵抗１２１に設定する。
Ｓ６０２：制御部１４０は、第１のスイッチ１３１及び第２のスイッチ１３２に前記第１のスイッチ制御信号及び前記第２のスイッチ制御信号１４４を出力し、第１のスイッチ１３１及び第２のスイッチ１３２の通電状態をオフに切り換え、ＥＣ素子１１０及びショート回路１２０から電源部１５１を電気的に分離させる。
Ｓ６０３：制御部１４０は、内部のクロックなどに基づいて保持時間Ｔの計測を開始する。
Ｓ６０４：制御部１４０は、電流測定手段１２２に電流測定制御信号１４３を出力して、ショート回路１２０に流れる電流値ＩＤの測定を開始させ、得られた電流値ＩＤの信号を出力させる。
なお、電流値ＩＤが積算値であって、Ｓ６１２から移行されてきた場合、電流値ＩＤはこのステップでリセットされる。電流値ＩＤが瞬間値であれば、引き続き電流値ＩＤの測定が行われる。
Ｓ６０５：制御部１４０は、ショート回路１２０の可変抵抗１２１に抵抗値制御信号１４２を出力して、可変抵抗１２１の抵抗値を、前記抵抗値Ｒ１より低い前記抵抗値Ｒ２に設定する。
Ｓ６０６：制御部１４０は、保持時間Ｔがしきい値以上であると判定すると本処理を終了し、保持時間Ｔがしきい値以上でないと判定すると処理をＳ６０７に移行させる。
Ｓ６０７：制御部１４０は、電流値ＩＤ１がしきい値以上であると判定すると処理をＳ６０８に移行させ、電流値ＩＤ１がしきい値以上でないと判定すると処理をＳ６０６に移行させる。
なお、電流値ＩＤ１は、濃色から淡色へ着色状態が推移する際の電流の積算値であって、ＥＣ素子１１０から放出された電荷量である。また、積算値でなくても、瞬間値であってもよい。電流値ＩＤ１を瞬間値とした場合、制御部１４０は、電流値ＩＤ１がしきい値以下であると判定すると処理をＳ６０８に移行させ、電流値ＩＤ１がしきい値以下でないと判定すると処理をＳ６０６に移行させるようにする。
Ｓ６０８：制御部１４０は、第１のスイッチ１３１及び第２のスイッチ１３２に前記第１のスイッチ制御信号及び前記第２のスイッチ制御信号１４４を出力して、第１のスイッチ１３１及び第２のスイッチ１３２の通電状態をオンにし、ＥＣ素子１１０及びショート回路１２０を電源部１５１に接続させる。
Ｓ６０９：制御部１４０は、ショート回路１２０の可変抵抗１２１に抵抗値制御信号１４２を出力して、可変抵抗１２１の抵抗値を前記抵抗値Ｒ１に設定する。
Ｓ６１０：制御部１４０は、電源部１５１に電流制御信号１４１を出力して、ＥＣ素子１１０に対して着色電圧を印加させる。
Ｓ６１１：制御部１４０は、電流値ＩＤ２がしきい値以上であると判定すると処理をＳ６１２に移行し、電流値ＩＤ２がしきい値以上でないと判定すると電流値ＩＤ２の監視を継続する。
なお、電流値ＩＤ２は、淡色から濃色へ着色状態が推移する際の一定時間あたりの電流の瞬間値であって、ＥＣ素子１１０の着色状態の変化を抵抗値変化として表したものである。
Ｓ６１２：制御部１４０は、第１のスイッチ１３１及び第２のスイッチ１３２に前記第１のスイッチ制御信号及び前記第２のスイッチ制御信号１４４を出力して、第１のスイッチ１３１及び第２のスイッチ１３２の通電状態をオフに切り換え、ＥＣ素子１１０及びショート回路１２０から電源部１５１を電気的に分離させ、処理をＳ６０４に移行させる。
【実施例】
【００６６】
以下、本発明の実施例を説明するが、本発明は、これらの実施例に何ら限定されるものではない。
【００６７】
（実施例１）
＜電圧による着色濃度の変動率評価（消色→着色）＞
図１に示した素子制御装置１０（第１の実施形態）を用いて、可変抵抗１２１の抵抗値Ｒ１を８ｋΩ、電流値のしきい値を瞬間値で１００ミリ秒あたり１０μＡ／ｃｍ２として、着色電圧を−３．０Ｖ、−３．２Ｖ、及び−３．４Ｖにそれぞれ設定し、図１３に示した着色状態にする制御のフローチャートにしたがってＥＣ素子１１０を着色状態にした。
着色状態のＥＣ素子１１０の表示領域の中心における可視領域（４００ｎｍ以上８００ｎｍ以下）の吸収極大波長λｍａｘの透過率を、ファイバマルチチャンネル分光器（ＵＳＢ４０００、Ｏｃｅａｎ  Ｏｐｔｉｃｓ社製）を用いて測定し、ＥＣ素子１１０の劣化を示す、前記相関データテーブルに基づき決定された着色濃度（以下、「着色濃度Ａ」と称することもある）に対するＥＣ素子１１０の着色濃度の変動率を下記式１により求め、以下の基準で評価した。結果を表１に示す。
変動率（％）
＝（着色濃度Ａ−ＥＣ素子の着色濃度）×１００／（着色濃度Ａ）・・式１
［評価基準］
◎：着色濃度Ａに対するＥＣ素子の着色濃度の変動率が１％未満
○：着色濃度Ａに対するＥＣ素子の着色濃度の変動率が１％以上５％未満
×：着色濃度Ａに対するＥＣ素子の着色濃度の変動率が５％以上
【００６８】
＜黄変評価（消色→着色）＞
図１に示した素子制御装置１０を用いて、図１５に示した消色状態にする制御のフローチャートにしたがって着色状態のＥＣ素子１１０を消色状態にした後、図１３に示した着色状態にする制御のフローチャートにしたがってＥＣ素子１１０を着色状態に戻すサイクルを１サイクルとして、１０，０００サイクル繰り返し、消色状態のＥＣ素子１１０の黄変度合いの指標としてイエローインデックス（ＹＩ）値を、前述した着色濃度の測定と同様に、ファイバマルチチャンネル分光器（ＵＳＢ４０００、Ｏｃｅａｎ  Ｏｐｔｉｃｓ社製）を用いて測定し、あらかじめ測定した初期値との差（ΔＹＩ）を求め、以下の基準でＥＣ素子１１０の劣化を示す黄変の状態を評価した。結果を表１に示す。
［評価基準］
◎：ΔＹＩが５未満
○：ΔＹＩが５以上１０未満
×：ΔＹＩが１０以上
【００６９】
（実施例２）
実施例１において、図１に示した素子制御装置１０を、図２に示した素子制御装置２０に代え、着色状態にするときは図７に示したブロック図の回路状態にし、消色状態にするときは図９に示したブロック図の回路状態にした以外は、実施例１と同様に評価した。結果を表１に示す。
【００７０】
（比較例１）
実施例１において、図１に示した素子制御装置１０を、図１９に示した前記ショート回路に前記可変抵抗が存在しない素子制御装置３０に代え、ＥＣ素子１１０の両電極をショートさせた以外は、実施例１と同様の評価を行った。結果を表１に示す。
【００７１】
（比較例２）
実施例１において、図１に示した素子制御装置１０を、図２０に示した前記ショート回路が存在しない素子制御装置４０に代えた以外は、実施例１と同様に評価した。結果を表１に示す。
【００７２】
【表１】
2017211632.tif 000003
【００７３】
表１より、実施例１及び２では、前記エレクトロクロミック素子を劣化させることなく所望の着色濃度にすることが確認できた。
比較例１では、前記エレクトロクロミック素子よりも前記ショート回路に電流が流れやすくなり、前記エレクトロクロミック素子が着色状態にならないことが確認できた。比較例２では、前記着色電圧として高い電圧が印加された際に、所望の着色濃度にならないだけでなく、前記エレクトロクロミック素子が劣化していることが確認できた。
【００７４】
（実施例３）
図１に示した素子制御装置１０を用いて、着色電圧を−３．０Ｖ、ショート回路１２０に流れる電流値のしきい値を１００ミリ秒あたり１０μＡ／ｃｍ２、ショート回路１２０の可変抵抗１２１の抵抗値Ｒ１及び抵抗値Ｒ３を２０ｋΩとし、抵抗値Ｒ２を５ｋΩ、３ｋΩ、及び１ｋΩの順にそれぞれ設定し、図１４に示した段階的に消色状態にする制御のフローチャートにしたがって、ＥＣ素子１１０を濃色状態から淡色状態へ段階的に移行させたときのＥＣ素子１１０の前記透過率を、実施例１と同様にして測定し、実施例１と同様に評価した。結果を表２に示す。
【００７５】
（実施例４）
実施例３において、図１に示した素子制御装置１０を、図２に示した素子制御装置２０に代え、図９に示した段階的に消色状態にするブロック図の回路状態にして、ＥＣ素子１１０を段階的に消色状態にした以外は、実施例３と同様に評価した。結果を表２に示す。
【００７６】
【表２】
2017211632.tif 000004
【００７７】
表２より、実施例３及び４では、前記可変抵抗の抵抗値を段階的に低下させ、前記エレクトロクロミック素子の電荷を段階的に放出させることにより、前記エレクトロクロミック素子を所望の着色濃度に階調制御できることが確認できた。
【００７８】
（実施例５）
＜着色残り評価＞
図１に示した素子制御装置１０を用いて、可変抵抗１２１の抵抗値Ｒ１を２０ｋΩ、消色電圧を１．０Ｖ、ショート回路１２０の電流値のしきい値を積算値で１０ｍＣ／ｃｍ２とし、図１６に示した消色状態にする制御のフローチャートにしたがって、着色状態のＥＣ素子１１０を消色状態にしたときのＥＣ素子１１０の前記透過率を、実施例１と同様にして測定し、着色残りとして実施例１と同様の評価を行った。
【００７９】
＜黄変評価＞
図１に示した素子制御装置１０を用いて、図１６に示した消色状態にする制御のフローチャートにしたがって着色状態のＥＣ素子１１０を消色状態にした後、図１３に示した着色状態にする制御のフローチャートにしたがってＥＣ素子１１０を着色状態に戻すサイクルを１サイクルとして、１０，０００サイクル繰り返し、消色状態のＥＣ素子１１０のイエローインデックス（ＹＩ）の値を、実施例１と同様にして測定し、着色残りとして実施例１と同様の評価を行った。結果を表３に示す。
【００８０】
（実施例６）
実施例５において、図１に示した素子制御装置１０を、図２に示した素子制御装置２０に代え、図９に示した消色状態にするブロック図の回路状態にした以外は、実施例５と同様に評価した。結果を表３に示す。
【００８１】
（比較例３）
実施例５において、図２０に示した素子制御装置を用いた以外は、実施例５と同様に評価した。結果を表３に示す。
【００８２】
【表３】
2017211632.tif 000005
【００８３】
表３の結果から、実施例５及び６では、消色状態にする制御を用いることにより、前記エレクトロクロミック素子を劣化させずに消色状態にできることが確認できた。
【００８４】
（実施例７）
＜着色保持状態における着色濃度の変化量評価＞
図１に示した素子制御装置１０を用いて、電流値のしきい値ＩＤ１を積算値で１０ｍＣ／ｃｍ２、電流値のしきい値ＩＤ２を瞬間値で１００ミリ秒あたり１０μＡ／ｃｍ２、可変抵抗１２１の抵抗値Ｒ１を２０ｋΩ、Ｒ２を１５ｋΩとし、着色電圧を−２．６Ｖ、−２．８Ｖ、及び−３．０Ｖに変動させ、図１８に示した着色保持状態にする制御のフローチャートにしたがって前記エレクトロクロミック素子を着色状態にさせた。着色状態にさせてから２０時間経過後の着色濃度を測定して以下の基準で判定した。
［評価基準］
◎：初期着色濃度に対して２０時間経過後の着色濃度の変化量が１％未満
○：初期着色濃度に対して２０時間経過後の着色濃度の変化量が１％以上５％未満
×：初期着色濃度に対して２０時間経過後の着色濃度の変化量が５％以上
【００８５】
＜黄変評価＞
図１に示した素子制御装置１０を用いて、図１６に示した消色状態にする制御のフローチャートにしたがって着色状態のＥＣ素子１１０を消色状態にした後、図１３に示した着色状態にする制御のフローチャートにしたがってＥＣ素子１１０を着色状態に戻すサイクルを１サイクルとして、１０，０００サイクル繰り返し、消色状態のＥＣ素子１１０のイエローインデックス（ＹＩ）値を、実施例１と同様にして測定し、実施例１と同様に評価した。結果を表４に示す。
［評価基準］
◎：初期値からの変動（ΔＹＩ）が５未満
○：初期値からの変動（ΔＹＩ）が５以上１０未満
×：初期値からの変動（ΔＹＩ）が１０以上
【００８６】
（実施例８）
実施例７において、図１に示した素子制御装置１０を、図２に示した素子制御装置２０に代えた以外は、実施例７と同様に評価した。結果を表４に示す。
【００８７】
（比較例４）
実施例７において、着色保持のために着色電圧を印加し続けた以外は、実施例７と同様に評価した。結果を表４に示す。
【００８８】
【表４】
2017211632.tif 000006
【００８９】
表４より、実施例７及び８では、着色濃度が２０時間維持でき、前記エレクトロクロミック素子の劣化の１つである黄変も抑制できたことが確認できた。
比較例４では、黄変が大きく表れて前記エレクトロクロミック素子が劣化しており、着色保持もできないことが確認できた。
【００９０】
（実施例９）
＜消費電力評価＞
素子制御装置２０への電源部１５１として、ボタン電池（商品名：ＳＲ６２１Ｗ、ソニー株式会社製）を２個直列につなぎ、図２に示した素子制御装置２０を用いて、図７に示した回路状態にし、ＥＣ素子１１０の両電極間に着色電圧として、−３．０Ｖを印加し、ＥＣ素子１１０を着色状態にさせた。このとき、着色状態のＥＣ素子１１０の表示領域の中心における可視領域（４００ｎｍ以上８００ｎｍ以下）の吸収極大波長λｍａｘの透過率を、前記ファイバマルチチャンネル分光器により測定し、ＥＣ素子１１０の光の透過率が７５％から２０％へ変化したことを確認した。
次に、図１６に示した消色状態にする制御のフローチャートにしたがって、可変抵抗１２１の抵抗値Ｒ１を２０ｋΩ、ショート回路に流れる電流値ＩＤのしきい値を積算値で１０ｍＣ／ｃｍ２とし、図１１に示した回路状態にしてショート回路１２０をＥＣ素子１１０に接続した後、ＥＣ素子１１０、ショート回路１２０、及び電流測定手段１２２から電源部１５１を分離させ、可変抵抗１２１の抵抗値を１０Ωに設定した。
ショート回路の電流値の測定を開始し、前記電流値が、前記しきい値以上であると判定したとき、消色電圧１．０Ｖを印加した。
前記電流値が前記しきい値以下であると判定したときに、着色状態から消色状態に変わるサイクルが一回完了したとみなし、消費電力をＥＣ素子１１０が何回発色と消色を繰り返すことができるかを評価した。同様の手順で５回行い、繰り返し回数の平均値を求めた。結果を表５へ示す。
【００９１】
（比較例５）
実施例９において、消色状態にする制御時に、ショート回路１２０を用いずに、図９に示した消色状態にする回路状態にした以外は、実施例９と同様に評価した。結果を表５に示す。
【００９２】
【表５】
2017211632.tif 000007
【００９３】
表５の実施例９の結果より、ショート回路でエレクトロクロミック素子の電荷を放出させることにより、消色駆動時の消費電力を削減することでき、発色と消色の繰り返し回数を向上させることができることがわかった。また、比較例５では、ショート回路を用いずにエレクトロクロミック素子の電荷を放出させた場合においては、前記発色と消色の繰り返し回数がショート回路を用いた場合の約１／２まで減少し、消費電力が大きいことがわかった。
【００９４】
本発明の態様としては、例えば、以下のとおりである。
＜１＞  エレクトロクロミック素子と、前記エレクトロクロミック素子に電気的に接続され、前記エレクトロクロミック素子への電流の供給を調整する電源部と、前記エレクトロクロミック素子に並列に電気的に接続される可変抵抗と、前記エレクトロクロミック素子に電気的に接続され、前記電流の値を測定する電流測定手段と、前記電流測定手段が測定した電流の値に基づき、前記電源部により前記エレクトロクロミック素子への電流の供給を調整させる制御部とを有することを特徴とする素子制御装置である。
＜２＞  前記制御部が、前記電源部により前記エレクトロクロミック素子に電流を供給させ、前記電流測定手段が測定した電流の値がしきい値に達したと判定したとき、前記電源部による前記エレクトロクロミック素子への電流の供給を停止するように調整させる前記＜１＞に記載の素子制御装置である。
＜３＞  前記エレクトロクロミック素子、前記可変抵抗、及び前記電流測定手段から、前記電源部を電気的に分離可能なスイッチ部を更に有し、前記制御部が、前記スイッチ部により前記電源部を電気的に分離させた後、前記可変抵抗の抵抗値を変化させて前記エレクトロクロミック素子から電荷を放出させ、前記電流測定手段が測定した電流の値がしきい値以下であると判定したとき、前記エレクトロクロミック素子から電荷の放出を抑制する前記抵抗値を前記可変抵抗に設定する前記＜１＞から＜２＞のいずれかに記載の素子制御装置である。
＜４＞  前記スイッチ部が、前記電源部と前記エレクトロクロミック素子の一方の電極との間に直列に接続され、通電状態をオンオフに切り換え可能な第１のスイッチと、前記第２の電源と前記エレクトロクロミック素子の他方の電極との間に直列に接続され、通電状態をオンオフに切り換え可能な第２のスイッチと、前記エレクトロクロミック素子の一方の電極と基準電位との間に直列に接続され、通電状態をオンオフに切り換え可能な第３のスイッチと、前記エレクトロクロミック素子の他方の電極と前記基準電位との間に直列に接続され、通電状態をオンオフに切り換え可能な第４のスイッチとを有する前記＜３＞に記載の素子制御装置である。
＜５＞  前記制御部が、前記第１のスイッチ及び前記第４のスイッチの通電状態をオンに切り換え、前記第２のスイッチ及び前記第３のスイッチの通電状態をオフに切り換えた後、前記電源部により前記エレクトロクロミック素子に電流を供給させ、前記電流測定手段が測定した電流の値がしきい値に達したと判定したとき、前記エレクトロクロミック素子への電流の供給を停止するように調整させる前記＜４＞に記載の素子制御装置である。
＜６＞  前記制御部が、前記第１のスイッチから前記第４のスイッチまでの通電状態をオフに切り換え、前記電源部を電気的に分離させた後、前記可変抵抗の抵抗値を変化させて前記エレクトロクロミック素子から電荷を放出させ、前記電流測定手段が測定した電流の値がしきい値以下であると判定したとき、前記エレクトロクロミック素子から電荷の放出を抑制する前記抵抗値を前記可変抵抗に設定する前記＜４＞に記載の素子制御装置である。
＜７＞  前記制御部が、前記第１のスイッチ及び前記第４のスイッチの通電状態をオフに切り換え、前記第２のスイッチ及び前記第３のスイッチの通電状態をオンに切り換えた後、前記電源部により前記エレクトロクロミック素子への電流の供給を、前記エレクトロクロミック素子から電荷が放出するように調整させる前記＜４＞に記載の素子制御装置である。
＜８＞  前記制御部が、前記第１のスイッチから前記第４のスイッチまでの通電状態をオフに切り換え、前記第１の電源及び前記第２の電源を電気的に分離させた後、限りなく小さい値を前記可変抵抗に設定する前記＜４＞に記載の素子制御装置である。
＜９＞  前記制御部が、前記第１のスイッチから前記第４のスイッチまでの通電状態をオフに切り換え、前記電源部を電気的に分離させた後、前記エレクトロクロミック素子から放出される電荷による電流が、前記電流測定手段により測定可能な低い電流の値となるように抵抗値を前記可変抵抗に設定し、前記電流測定手段が測定した電流の値がしきい値以上であると判定したとき、前記第１のスイッチ及び前記第４のスイッチの通電状態をオンに切り換え、前記電源部により前記エレクトロクロミック素子への電流の供給を調整させる前記＜４＞に記載の素子制御装置である。
＜１０＞  前記電源部が、第１の電源及び第２の電源を有し、前記スイッチ部が、前記第１の電源及び前記第２の電源の少なくともいずれかを前記エレクトロクロミック素子の一方の電極に電気的に接続可能とし、前記エレクトロクロミック素子の他方の電極を基準電位に接続可能である前記＜１＞から＜９＞のいずれかに記載の素子制御装置である。
＜１１＞  前記エレクトロクロミック素子、前記可変抵抗、及び前記電流測定手段から、前記電源部を電気的に分離可能なスイッチ部を更に有し、
前記制御部が、
前記スイッチ部により前記電源部を電気的に分離させた後、前記可変抵抗の抵抗値を限りなく小さく変化させて前記エレクトロクロミック素子から電荷を放出させる前記＜１＞から＜１０＞のいずれかに記載の素子制御装置である。
＜１２＞  エレクトロクロミック素子と、電源部と、可変抵抗と、電流測定手段と、制御部とを有する素子制御装置において、前記電源部により前記エレクトロクロミック素子に電流を供給し、前記可変抵抗により調節された電流の値を、前記電流測定手段を用いて測定し、前記電流測定手段が測定した前記電流の値に基づき、前記制御部により前記電源部から供給される電流を、前記電源部を用いて調整させることを含むことを特徴とする素子制御方法である。
【００９５】
前記＜１＞から＜１１＞のいずれかに記載の素子制御装置、及び前記＜１２＞に記載の素子制御方法は、従来における前記諸問題を解決し、前記本発明の目的を達成することができる。
【符号の説明】
【００９６】
１０、２０  素子制御装置
１１０  エレクトロクロミック素子
１１２  第１の電極
１１５  第２の電極
１２０  ショート回路
１２１  可変抵抗
１２２  電流測定手段
１３１  第１のスイッチ
１３２  第２のスイッチ
１３３  第３のスイッチ
１３４  第４のスイッチ
１３５  第５のスイッチ
１４０  制御部
１４１  電流制御信号
１４２  抵抗値制御信号
１４３  電流測定制御信号
１４４  スイッチ制御信号
１５１  電源部
１５２  第１の電源
１５３  第２の電源
１５４  システム電源
【先行技術文献】
【特許文献】
【００９７】
【特許文献１】特開２００６−１５３９２５号公報
【図１】
2017211632.tif 000008
【図２】
2017211632.tif 000009
【図３】
2017211632.tif 000010
【図４】
2017211632.tif 000011
【図５】
2017211632.tif 000012
【図６】
2017211632.tif 000013
【図７】
2017211632.tif 000014
【図８】
2017211632.tif 000015
【図９】
2017211632.tif 000016
【図１０】
2017211632.tif 000017
【図１１】
2017211632.tif 000018
【図１２】
2017211632.tif 000019
【図１３】
2017211632.tif 000020
【図１４】
2017211632.tif 000021
【図１５】
2017211632.tif 000022
【図１６】
2017211632.tif 000023
【図１７】
2017211632.tif 000024
【図１８】
2017211632.tif 000025
【図１９】
2017211632.tif 000026
【図２０】
2017211632.tif 000027